(57)【特許請求の範囲】
【請求項１】
下記の全ての構成を有することを特徴とするトイレットペーパーの先端部をＶ形に折曲する装置。
（ａ）  トイレットペーパー（１）の裏面側に位置する押出プレート（３）と、この押出プレート（３）の両側に配設している一対の折曲アーム（４）と、この折曲アーム（４）と押出プレート（３）をリンク機構（５）を介して駆動するツマミ（６）と、このツマミ（６）を移動できるように連結しているケーシング（２）とを備える。
（ｂ）  押出プレート（３）は、ケーシング（２）に前後に移動できるように内蔵される。
（ｃ）  押出プレート（３）は、中央凸に突出するＶ形折曲縁（３Ａ）を先端に有する。
（ｄ）  一対の折曲アーム（４）は、押出プレート（３）の両側に設けている連結軸（７）を介して、押出プレート（３）の表面で回動できるようにケーシング（２）に連結している。
（ｅ）  折曲アーム（４）の連結軸（７）は、折曲アーム（４）を押出プレート（３）の表面で回動させると共に、軸方向に移動できるように折曲アーム（４）を連結している。
（ｆ）  ケーシング（２）は、トイレットペーパー（１）を切断するカッター（８）を有する。
（ｇ）  リンク機構（５）は、ツマミ（６）が停止位置から第１の位置まで移動されると、一対の折曲アーム（４）を回動して、押出プレート（３）の表面側に沿って移動してＶ形折曲縁（３Ａ）よりも突出させる位置まで移動し、ツマミ（６）が第１の位置から第２の位置まで移動されると、折曲アーム（４）を連結軸（７）の軸方向に移動させて押出プレート（３）の表面側から裏面側に移動させ、ツマミ（６）が第２の位置から第３の位置に移動されると、折曲アーム（４）を押出プレート（３）の下面に沿って移動するように逆方向に回動して、トイレットペーパー（１）の先端部を押出プレート（３）のＶ形折曲縁（３Ａ）に沿って折曲し、ツマミ（６）が第３の位置から第４の位置に移動されると、押出プレート（３）をケーシング（２）から突出させて、Ｖ形折曲縁（３Ａ）で折曲しているトイレットペーパー（１）の先端部をケーシング（２）から押し出し、第４の位置から停止位置まで移動されると、トイレットペーパー（１）の先端部を残して押出プレート（３）を元の位置に復帰させる。
【請求項２】
ツマミ（６）をケーシング（２）の天板（２Ａ）に前後に移動できるように連結している請求項１に記載されるトイレットペーパーの先端部をＶ形に折曲する装置。
【請求項３】
リンク機構（５）が、ケーシング（２）の天板（２Ａ）の内面にツマミ（６）で開閉されるように連結している開閉リンク（９）と、この開閉リンク（９）の先端にピン（１１）を介して一端を回動できるように連結している中間リンク（１０）とを備え、中間リンク（１０）の他端を折曲アーム（４）に連結して、ツマミ（６）で開閉される開閉リンク（９）と中間リンク（１０）とで、折曲アーム（４）を押出プレート（３）の表面に沿って回動させる請求項１に記載されるトイレットペーパーの先端部をＶ形に折曲する装置。
【請求項４】
折曲アーム（４）が上下機構（１２）を介して連結軸（７）に連結され、上下機構（１２）が、ケーシング（２）の天板（９）に固定している連結軸（７）に回転できるように連結しているカム筒（１３）と、折曲アーム（４）に固定されてカム筒（１３）に対して相対的に回転できるように連結軸（７）に挿通している上下筒（１４）と、折曲アーム（４）を弾性的にカム筒（１３）に向かって押圧している押圧スプリング（１５）と、ケーシング（２）に固定されてカム筒（１３）を一定の方向にのみ回転するラチェット機構（１６）とを備えており、
ツマミ（６）が停止位置から第１の位置に向かって移動されて、折曲アーム（４）がリンク機構（５）で回動されると、カム筒（１３）が上下筒（１４）を連結軸（７）の軸方向に移動して、折曲アーム（４）を押出プレート（３）の表面側に移動させ、
ツマミ（６）が第１の位置から第２の位置に移動されると、カム筒（１３）が上下筒（１４）を連結軸（７）の軸方向に移動させて、折曲アーム（４）を押出プレート（３）の表面側から裏面側に移動させるようにしてなる請求項１に記載されるトイレットペーパーの先端部をＶ形に折曲する装置。
【発明の詳細な説明】
【０００１】
【発明の属する技術分野】
本発明は、トイレットペーパーの先端部をＶ形に折曲する装置に関する。
【０００２】
【従来の技術】
トイレットペーパーは、先端部をＶ形に折曲して次に簡単に引き出しできる。ただ、先端部をＶ形に折曲するのには手間がかかる。このため、次の使用者のためにＶ形に折曲するのが難しい。トイレットペーパーの先端部をＶ形にするために、Ｖ形のミシン目を入れたトイレットペーパーは開発されている（特開平１１−２３５２９２号）。
【０００３】
【発明が解決しようとする課題】
Ｖ形にミシン目を入れたトイレットペーパーは、ミシン目に沿って切断して先端部をＶ形にできる。ただ、トイレットペーパーは、ホルダーのカッターで直線状に切断するので、ミシン目でＶ形に切断するには、ホルダーのカッターで直線状に切断した後、ミシン目に沿って切り離す必要がある。このため、トイレットペーパーの切断に手間がかかる欠点がある。
また、ホルダーで直線状に切断した後、ミシン目で切断するので、一部のトイレットペーパーを無駄に廃棄する必要があり、トイレットペーパーを有効に使用できない欠点もある。
さらに、ミシン目でＶ形に切断しているトイレットペーパーは、必ずしも引出しに理想的な状態にはならない。それは、先端部を折り返して、Ｖ形に折曲したトイレットペーパーのように、その先端部が厚くならないからである。
【０００４】
本発明は、このような欠点を解決することを目的に開発されたものである。本発明の重要な目的は、トイレットペーパーの先端部を簡単かつ容易に、しかも取り出しやすいようにＶ形に折曲できる装置を提供することにある。
【０００５】
【課題を解決するための手段】
本発明のトイレットペーパーの先端部をＶ形に折曲する装置は、下記の全ての構成を有することを特徴としている。
（ａ）  トイレットペーパー１の裏面側に位置する押出プレート３と、この押出プレート３の両側に配設している一対の折曲アーム４と、この折曲アーム４と押出プレート３をリンク機構５を介して駆動するツマミ６と、このツマミ６を移動できるように連結しているケーシング２とを備える。
（ｂ）  押出プレート３は、ケーシング２に前後に移動できるように内蔵される。
（ｃ）  押出プレート３は、中央凸に突出するＶ形折曲縁３Ａを先端に有する。（ｄ）  一対の折曲アーム４は、押出プレート３の両側に設けている連結軸７を介して、押出プレート３の表面で回動できるようにケーシング２に連結している。
（ｅ）  折曲アーム４の連結軸７は、折曲アーム４を押出プレート３の表面で回動させると共に、軸方向に移動できるように折曲アーム４を連結している。
（ｆ）  ケーシング２は、トイレットペーパー１を切断するカッター８を有する。
（ｇ）  リンク機構５は、ツマミ６が停止位置から第１の位置まで移動されると、一対の折曲アーム４を回動して、押出プレート３の表面側に沿って移動してＶ形折曲縁３Ａよりも突出させる位置まで移動し、ツマミ６が第１の位置から第２の位置まで移動されると、折曲アーム４を連結軸７の軸方向に移動させて押出プレート３の表面側から裏面側に移動させ、ツマミ６が第２の位置から第３の位置に移動されると、折曲アーム４を押出プレート３の下面に沿って移動するように逆方向に回動して、トイレットペーパー１の先端部を押出プレート３のＶ形折曲縁３Ａに沿って折曲し、ツマミ６が第３の位置から第４の位置に移動されると、押出プレート３をケーシング２から突出させて、Ｖ形折曲縁３Ａで折曲しているトイレットペーパー１の先端部をケーシング２から押し出し、第４の位置から停止位置まで移動されると、トイレットペーパー１の先端部を残して押出プレート３を元の位置に復帰させる。
【０００６】
ツマミ６は、ケーシング２の天板２Ａに前後に移動できるように連結することができる。リンク機構５は、好ましくは、ケーシング２の天板２Ａの内面にツマミ６で開閉されるように連結している開閉リンク９と、この開閉リンク９の先端にピン１１を介して一端を回動できるように連結している中間リンク１０とを備える。このリンク機構５は、中間リンク１０の他端を折曲アーム４に連結して、ツマミ６で開閉される開閉リンク９と中間リンク１０とで、折曲アーム４を押出プレート３の表面に沿って回動させる。
【０００７】
折曲アーム４は、上下機構１２を介して連結軸７に連結することができる。上下機構１２は、好ましくは、ケーシング２の天板２Ａに固定している連結軸７に回転できるように連結しているカム筒１３と、折曲アーム４に固定されてカム筒１３に対して相対的に回転できるように連結軸７に挿通している上下筒１４と、折曲アーム４を弾性的にカム筒１３に向かって押圧している押圧スプリング１５と、ケーシング２に固定されてカム筒１３を一定の方向にのみ回転するラチェット機構１６とを備える。この上下機構１２は、ツマミ６が停止位置から第１の位置に向かって移動されて、折曲アーム４がリンク機構５で回動されると、カム筒１３が上下筒１４を連結軸７の軸方向に移動して、折曲アーム４を押出プレート３の表面側に移動させ、ツマミ６が第１の位置から第２の位置に移動されると、カム筒１３が上下筒１４を連結軸７の軸方向に移動させて、折曲アーム４を押出プレート３の表面側から裏面側に移動させる。
【０００８】
【発明の実施の形態】
以下、本発明の実施例を図面に基づいて説明する。ただし、以下に示す実施例は、本発明の技術思想を具体化するためのトイレットペーパーの先端部をＶ形に折曲する装置を例示するものであって、本発明は折曲装置を下記のものに特定しない。
【０００９】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１０】
本発明の装置は、図１に示すように、直線状に切断されたトイレットペーパー１の先端部を矢印で示すように裏側に折り返してＶ形に折曲する。このことを実現する図２の側面図と図３の平面図に示す装置は、ケーシング２と、引き出されるトイレットペーパー１の裏面側に位置する押出プレート３と、この押出プレート３の両側に配設されてトイレットペーパー１をＶ形に折曲する一対の折曲アーム４と、この折曲アーム４と押出プレート３をリンク機構５を介して駆動するツマミ６とを備える。
【００１１】
ケーシング２は、プラスチックや金属で製作されて壁面に固定される。ケーシング２は、両側の側板２Ｂに上板２Ｃと背面板２Ｄを固定しており、側板２Ｂの間にトイレットペーパー１を回転できるように装着している。さらに、側板２Ｂの上端に、開閉できるように天板２Ａを連結している。天板２Ａは、両側に垂直プレート１７を固定している。垂直プレート１７がピン１８を介して側板２Ｂの上端に回転できるように連結されて、天板２Ａを開閉できるように側板２Ｂに連結している。天板２Ａは、トイレットペーパー１を横に切断するカッター８を先端に設けている。さらに、天板２Ａと上板２Ｃの間にトイレットペーパー１の先端部をＶ形に折曲する機構を内蔵させている。
【００１２】
押出プレート３は、ケーシング２の上板２Ｃに、前後に移動できるように連結している。この押出プレート３は、引張バネ（図示せず）でケーシング２に連結されて、ツマミ６で押し出されないときにはケーシング２の内部に引き込まれる。この押出プレート３は、トイレットペーパー１の先端部をＶ形に折曲するＶ形折曲縁３Ａを先端に設けている。トイレットペーパー１は、Ｖ形折曲縁３Ａを折り目として、折曲アーム４で折曲される。Ｖ形折曲縁３Ａは中央凸に突出する。
【００１３】
押出プレート３は、ケーシング２の内部でトイレットペーパー１の先端部をＶ形に折曲し、折曲している先端部をケーシング２から突出させるために、ケーシング２に前後に移動できるように連結している。このことを実現するために、ケーシング２は、図４の断面図に示すように、上板２Ｃにガイド板１９を固定している。ガイド板１９は、上面に前後方向に伸びるようにガイド溝２０を設けている。押出プレート３は、下面に突出する凸条２１を有し、この凸条２１をガイド溝２０に案内している。押出プレート３は、凸条２１をガイド溝２０に沿って移動させて、ケーシング２に前後に移動できるように連結している。
【００１４】
さらに、押出プレート３は、ツマミ６でケーシング２から押し出されるように、両側に係止凸部２２を設けている。ケーシング２に沿って移動されるツマミ６は、トイレットペーパー１の先端部をＶ形に折曲した後、折曲された先端部をケーシング２から突出させるときに、係止凸部２２を押して押出プレート３をケーシング２から突出させる。
【００１５】
一対の折曲アーム４は、押出プレート３の表面側と裏面側に沿って回動し、かつ、表面側と裏面側とに移動できるようにケーシング２に連結される。この折曲アーム４は、押出プレート３の表面側をトイレットペーパー１の先端部に向かって移動した後、表面側から裏面側に移動し、裏面側をトイレットペーパー１の先端側から反対方向に回動して、トイレットペーパー１の先端部を押出プレート３のＶ形折曲縁３Ａで折曲する。図５と図６は、折曲アーム４が移動する状態を示している。とくに、図６は、折曲アーム４の先端が移動する軌跡を側面から見た図である。これらの図に示す折曲アーム４は、ツマミ６を停止位置から第１の位置に移動するとき、図６の▲１▼で示すように、押出プレート３の裏面側から表面側に移動した後、図５と図６の▲２▼で示すように、押出プレート３の表面側に沿って移動する。このとき、トイレットペーパー１は、折曲アーム４と押出プレート３との間に配設される。ツマミ６が第１の位置から第２の位置に移動されると、折曲アーム４は、図６の▲３▼で示すように、押出プレート３の表面側から裏面側に移動する。さらに、ツマミ６が第２の位置から第３の位置に移動されると、折曲アーム４は、図５と図６の▲４▼で示すように、押出プレート３の下面に沿って移動する。このとき、トイレットペーパー１は、折曲アーム４と押出プレート３との間にあって、トイレットペーパー１の先端部が押出プレート３のＶ形折曲縁３Ａを折り目としてＶ形に折曲される。
【００１６】
折曲アーム４は、以上のように、トイレットペーパー１を押出プレート３のＶ形折曲縁３Ａで折曲できるように、押出プレート３の両側に設けている連結軸７を介して、押出プレート３の表面に沿って回動できるようにケーシング２に連結している。この連結軸７は、折曲アーム４を押出プレート３の表面側と裏面側とで回動させると共に、軸方向に移動させて表面側と裏面側とに移動できるようにケーシング２に連結している。
【００１７】
このことを実現する図の折曲アーム４は、上下機構１２を介して連結軸７に連結される。上下機構１２は、ケーシング２の天板２Ａに、下面に突出するように固定している連結軸７に回転できるように連結しているカム筒１３と、折曲アーム４に固定されてカム筒１３に対して相対的に回転できるように連結軸７に挿通している上下筒１４と、折曲アーム４を弾性的にカム筒１３に向かって押圧している押圧スプリング１５と、ケーシング２に固定されてカム筒１３を一定の方向にのみ回転するラチェット機構１６とを備えている。
【００１８】
カム筒１３は、図７の拡大図に示すように、裏面側との対向面に、傾斜面１３Ａと垂直面１３Ｂからなる鋸刃状の凹凸を設けている。ただし、この図は、回転する上下筒１４がカム筒１３に沿って上昇する状態を示している。傾斜面１３Ａは、カム筒１３を固定する状態で、折曲アーム４をトイレットペーパー１の先端に向かって移動させる方向に上下筒１４を回転するときに、上下筒１４を傾斜面１３Ａに沿って押し上げることができるように上り勾配に傾斜している。すなわち、ツマミ６が停止位置から第１の位置に移動されるときに、折曲アーム４を押出プレート３の裏面側から表面側に移動できる方向に傾斜している。
【００１９】
さらに、このカム筒１３は、外周に突出して、ラチェット機構１６を実現するラチェット凸部１６Ａを設けている。ラチェット凸部１６Ａは、ケーシング２のラチェットアーム１６Ｂに引っかけられて、カム筒１３を一定の方向にのみ回転させる。ラチェット機構１６は、折曲アーム４がトイレットペーパー１の先端に向かって回動されるとき、すなわちツマミ６が停止位置から第１の位置に移動されるときにはカム筒１３を回転させず、ツマミ６が第３の位置から第４の位置に移動されて、折曲アーム４が反対方向に回動されるときにはカム筒１３を折曲アーム４と一緒に回転させる。
【００２０】
上下筒１４は、折曲アーム４の下面に固定されて、折曲アーム４と一緒に回転される。この上下筒１４は、カム筒１３との対向面を、カム筒１３の上面に設けた凹凸に噛み合う凹凸形状としている。押圧スプリング１５は、コイルスプリングで、連結軸７を挿通して、ケーシング２と折曲アーム４との間に配設している。押圧スプリング１５は、折曲アーム４を弾性的に押圧して、上下筒１４をカム筒１３に弾性的に押圧している。
【００２１】
ラチェット機構１６は、図８に示すように、ケーシング２に固定しているラチェットアーム１６Ｂを備える。このラチェットアーム１６Ｂは、弾性変形できるアームで、カム筒１３を一定の方向にのみ回転させる。カム筒１３が図の矢印Ａで示す方向に回転されると、カム筒１３のラチェット凸部１６Ａがラチェットアーム１６Ｂの先端に縦方向に当たって、カム筒１３は回転されない。しかしながら、カム筒１３が矢印Ａで示す方向と反対に回転されると、カム筒１３のラチェット凸部１６Ａがラチェットアーム１６Ｂの側面を押して弾性変形させる。このため、カム筒１３はこの方向には回転される。
【００２２】
この上下機構１２は、ツマミ６が停止位置から第１の位置に向かって移動されて、折曲アーム４がリンク機構５で回動されると、ラチェット機構１６でカム筒１３の回転が停止されて、上下筒１４が回転される。このとき、上下筒１４は、カム筒１３の傾斜面１３Ａに沿って移動されて、カム筒１３から離れるように連結軸７に沿って移動し、折曲アーム４を押出プレート３の裏面側から表面側に移動させる。さらにツマミ６が移動されると、上下筒１４がカム筒１３から離れる位置を保持して、すなわち、折曲アーム４を押出プレート３の表面側に位置させて、折曲アーム４は押出プレート３の先端に向かって回動される。その後、ツマミ６が第１の位置から第２の位置に移動されると、上下筒１４がカム筒１３の垂直面１３Ｂに沿って移動して、上下筒１４をカム筒１３に接近させる。すなわち、上下筒１４を連結軸７の軸方向に移動させて、折曲アーム４を押出プレート３の表面側から裏面側に移動させる。その後、さらにツマミ６が第２の位置から第３の位置に移動されると、折曲アーム４が反対方向に回動されるので、ラチェット機構１６がカム筒１３の回転を停止させず、カム筒１３は上下筒１４と一緒に回転して、折曲アーム４を押出プレート３の裏面側に沿って移動させる。
【００２３】
リンク機構５は、ケーシング２の天板２Ａの内面にツマミ６で開閉されるように連結している開閉リンク９と、この開閉リンク９の先端にピン１１を介して一端を回動できるように連結している中間リンク１０とを備える。中間リンク１０は、他端を折曲アーム４に連結して、ツマミ６で開閉される開閉リンク９と中間リンク１０で、折曲アーム４を押出プレート３の表面に沿って回動させる。
【００２４】
開閉リンク９は、図８に示すように、ケーシング２の天板２Ａに配設された水平ロッド２３に傾動できるように連結している。水平ロッド２３は、両端を天板２Ａの下面に突出して固定している固定片２４に挿通して固定している。この水平ロッド２３は、開閉リンク９の一端に設けている貫通孔９Ａに挿通され、水平ロッド２３を介して開閉リンク９を天板２Ａに連結している。開閉リンク９の貫通孔９Ａは水平ロッド２３の外径よりも大きく、開閉リンク９を傾動できるように連結している。開閉リンク９と固定片２４との間には押しバネ２５であるコイルスプリングを入れ、さらに一対の開閉リンク９の間にはスペーサー筒２６を入れている。
【００２５】
さらに、一対の開閉リンク９は、コイルストッパの引張バネ２７に引っ張られて、ストッパ２８の位置まで移動される。ストッパ２８は、開閉リンク９の先端部の最大拡開角を制限するように、天板２Ａの下面に固定している。開閉リンク９がストッパ２８に当たる状態で、折曲アーム４は押出プレート３の外側に位置する。いいかえると、折曲アーム４をこの位置に停止させる位置に、開閉リンク９のストッパ２８を配設している。
【００２６】
中間リンク１０は、一端を開閉リンク９の先端にピン１１を介して連結して、他端を折曲アーム４のクランクアーム４Ａの先端にピン２９を介して回転できるように連結している。折曲アーム４に連結しているクランクアーム４Ａは、折曲アーム４に対してほぼ直交する方向に延長している。
【００２７】
以上のリンク機構５は、ツマミ６で一対の開閉リンク９の間隔を狭くする方向、すなわち引張バネ２７を伸ばす方向に開閉リンク９を移動させると、中間リンク１０の先端がクランクアーム４Ａを引っ張って、折曲アーム４を押出プレート３に先端に向かって回動させる。その後、ツマミ６が開閉リンク９の動きを開放すると、開閉リンク９は引張バネ２７に引っ張られて、押出プレート３の先端から逆方向に回動される。
【００２８】
ツマミ６は、ケーシング２の天板２Ａに、前後に移動できるように連結している。ツマミ６をケーシング２の天板２Ａに連結する部分の断面図を図４に示す。このツマミ６は、天板２Ａに前後に延長して設けているスリット３０を摺動できるように貫通する貫通部６Ａと、この貫通部６Ａの上下に固定されて天板２Ａの上面と下面に対向して配設される上プレート６Ｂおよび下プレート６Ｃと、貫通部６Ａをさらに下方に延長して押出プレート３を押し出す横ロッド６Ｄとを備える。
【００２９】
下プレート６Ｃは、両側を下方に折曲している。この折曲部６Ｅは、開閉リンク９の上面に固定してるカム凸条３１の外側に沿って摺動して、ツマミ６で開閉リンク９を互いに接近させる方向に移動させる。カム凸条３１は、図８の平面図に示すように、開閉リンク９の上面にハ字状に拡開するように固定される。下プレート６Ｃの折曲部６Ｅは、カム凸条３１の外側を摺動し、ツマミ６を天板２Ａの前方に引き出すと、カム凸条３１の外側を摺動して、開閉リンク９を互いに引き寄せる方向に回動させる。下プレート６Ｃの折曲部６Ｅがカム凸条３１を通過すると、ツマミ６は開閉リンク９の引き寄せを解除する。この状態になると、開閉リンク９は引張バネ２７に引っ張られて、ストッパ２８に当たるまで拡開される。
【００３０】
以上の装置は、ツマミ６を操作すると、以下のようにしてトイレットペーパー１の先端部をＶ形に折曲してケーシング２から押し出す。
（１）  ツマミを停止位置から第１の位置に移動させるとき
ツマミ６に固定している下プレート６Ｃの折曲部６Ｅがカム凸条３１の外側を摺動して、開閉リンク９を互いに引き寄せる方向に回動させる。この方向に移動する開閉リンク９は、中間リンク１０を介してクランクアーム４Ａを引っ張る。クランクアーム４Ａが引っ張られると、上下機構１２が折曲アーム４を押出プレート３の裏面側から表面側に移動させ、その後、折曲アーム４を押出プレート３の先端に向かって回動させる。折曲アーム４は、押出プレート３の表面側に沿って移動してＶ形折曲縁３Ａよりも突出する位置まで移動される。
（２）  ツマミを第１の位置から第２の位置まで移動させるとき
開閉リンク９がさらに中間リンク１０を引っ張り、中間リンク１０がクランクアームを引っ張ると、上下機構１２が折曲アーム４を押出プレート３の表面側から裏面側に移動させる。
（３）  ツマミを第２の位置から第３の位置まで移動させるとき
ツマミ６の下プレート６Ｃの折曲部６Ｅが、開閉リンク９に固定してるいカム凸条３１から離れ、開閉リンク９の動きが開放される。したがって、ツマミ６がこの位置まで移動されると、下プレート６Ｃの折曲部６Ｅが開閉リンク９の回動を制限しなくなる。したがって、開閉リンク９は引張バネ２７に引っ張られて、ストッパ２８に当たるまで回動し、折曲アーム４を押出プレート３の下面に沿って移動するように逆方向に回動して、トイレットペーパー１の先端部を押出プレート３のＶ形折曲縁３Ａに沿って折曲する。
（４）  ツマミを第３の位置から第４の位置まで移動させるとき
ツマミ６に固定している横ロッド６Ｄの両端に突出して設けた押出凸部６Ｆが、押出プレート３の両側に設けている係止凸部２２に当り、この係止凸部２２を押して押出プレート３をケーシング２から押し出す。このため、Ｖ形折曲縁３Ａで折曲しているトイレットペーパー１の先端部が、押出プレート３でケーシング２から押し出される。
（５）  ツマミを第４の位置から停止位置まで反対方向に移動させるとき
トイレットペーパー１をケーシング２から突出させる状態で、押出プレート３は引張バネに引っ張られて元の位置に復帰する。
【００３１】
【発明の効果】
本発明の装置は、トイレットペーパーの先端部を簡単かつ容易に、しかも取り出しやすいようにＶ形に折曲できる特長がある。それは、本発明の装置が、Ｖ形折曲縁を先端に有する押出プレートと、この押出プレートの両側に配設している一対の折曲アームとを備え、この折曲アームと押出プレートとを独特のリンク機構を介してツマミで駆動してトイレットペーパーの先端部をＶ形に折曲しているからである。このリンク機構は、ツマミを移動させると、一対の折曲アームが押出プレートの表面側に沿ってＶ形折曲縁よりも突出する位置まで回動した後、押出プレートの表面側から裏面側に移動し、さらに、押出プレートの下面に沿って逆方向に回動して、トイレットペーパーの先端部を押出プレートのＶ形折曲縁に沿って折曲する。したがって、ツマミを移動させるという極めて簡単な操作で、トイレットペーパーの先端部をＶ形に折曲できる。さらに、本発明の装置は、押出プレートがケーシングから突出するまでツマミを移動させると、折曲されたトイレットペーパーの先端部がケーシングから押し出されるので、便利に取り出しできる特長もある。
【図面の簡単な説明】
【図１】トイレットペーパーの先端部をＶ形に折曲する状態を示す平面図
【図２】本発明の一実施例にかかるトイレットペーパーの先端部をＶ形に折曲する装置の側面図
【図３】図２に示す装置の平面図
【図４】ツマミおよび押出プレートとケーシングとの連結構造を示す断面図
【図５】折曲アームが回動する状態を示す概略平面図
【図６】折曲アームの先端の移動軌跡を示す概略側面図
【図７】上下機構が折曲アームを連結軸の軸方向に移動させる状態を示す拡大側面図
【図８】ケーシングの天板に配設されたリンク機構を示す平面図
【符号の説明】
１…トイレットペーパー
２…ケーシング        ２Ａ…天板              ２Ｂ…側板
２Ｃ…上板              ２Ｄ…背面板
３…押出プレート      ３Ａ…Ｖ形折曲縁
４…折曲アーム        ４Ａ…クランクアーム
５…リンク機構
６…ツマミ            ６Ａ…貫通部            ６Ｂ…上プレート
６Ｃ…下プレート        ６Ｄ…横ロッド
６Ｅ…折曲部            ６Ｆ…押出凸部
７…連結軸
８…カッター
９…開閉リンク        ９Ａ…貫通孔
１０…中間リンク
１１…ピン
１２…上下機構
１３…カム筒          １３Ａ…傾斜面          １３Ｂ…垂直面
１４…上下筒
１５…押圧スプリング
１６…ラチェット機構  １６Ａ…ラチェット凸部  １６Ｂ…ラチェットアーム
１７…垂直プレート
１８…ピン
１９…ガイド板
２０…ガイド溝
２１…凸条
２２…係止凸部
２３…水平ロッド
２４…固定片
２５…押しバネ
２６…スペーサー筒
２７…引張バネ
２８…ストッパ
２９…ピン
３０…スリット
３１…カム凸条
【図１】
0003549509.tif 000002
【図２】
0003549509.tif 000003
【図３】
0003549509.tif 000004
【図４】
0003549509.tif 000005
【図５】
0003549509.tif 000006
【図６】
0003549509.tif 000007
【図７】
0003549509.tif 000008
【図８】
0003549509.tif 000009